(57)【特許請求の範囲】
【請求項１】
ブラシに装着して使用するブラシ用補助部材において、
連続繊維をシート状に成形し、そこに前記ブラシの複数の針状部を刺して使用する構造であり、
前記ブラシの針状部が刺さる連続繊維部と、当該連続繊維部の周囲に形成された補強部とから構成され、
前記補強部は、前記連続繊維の一部を熱融着することによって形成され、
前記連続繊維部に接着部が形成され、前記連続繊維の自由度を規制することを特徴とするブラシ用補助部材。
【請求項２】
前記連続繊維部の片面には不織布からなる基材が設けられていることを特徴とする請求項１に記載のブラシ用補助部材。
【請求項３】
前記連続繊維は、一束の連続したフィラメントのＴＯＷ（トウ）であることを特徴とする請求項１又は２に記載のブラシ用補助部材。
【請求項４】
少なくとも前記連続繊維部は吸水性を有し、毛や肌に付着した水分を吸収することを特徴とする請求項１乃至３の何れか一項に記載のブラシ用補助部材。
【請求項５】
前記連続繊維部に所定の液体を含ませた状態で使用することを特徴とする請求項４に記載のブラシ用補助部材。
【請求項６】
前記連続繊維部は、前記接着部によって複数の領域に区切られていることを特徴とする請求項１乃至５の何れか一項に記載のブラシ用補助部材。
【請求項７】
前記連続繊維の目付は１０ｇ／ｍ２〜１０００ｇ／ｍ２であることを特徴とする請求項１乃至６の何れか一項に記載のブラシ用補助部材。
【請求項８】
前記連続繊維の目付は６０ｇ／ｍ２〜２００ｇ／ｍ２であることを特徴とする請求項７に記載のブラシ用補助部材。
【請求項９】
前記連続繊維の太さは、０．５デシテックス〜１００デシテックスであることを特徴とする請求項１乃至８の何れか一項に記載のブラシ用補助部材。
【請求項１０】
前記連続繊維の太さは、１．０デシテックス〜５．０デシテックスであることを特徴とする請求項９に記載のブラシ用補助部材。
【請求項１１】
ブラシと、当該ブラシに使用される請求項１に記載のブラシ用補助部材とから構成されるブラシセット。
【請求項１２】
前記ブラシ用補助部材の一部に第１の固定部を形成するとともに；
前記ブラシの一部に、前記第１の固定部と接着する第２の固定部を設けたことを特徴とする請求項１１に記載のブラシセット。
【請求項１３】
前記第１の固定部は、前記ブラシ用補助部材の一部を毛羽立たせてループ状にすることによって成形され、
前記第２の固定部は、前記第１の固定部のループに絡み合うフック状の接着面を有することを特徴とする請求項１２に記載のブラシセット。
【発明の詳細な説明】
【０００１】
【発明の属する技術分野】
本発明は、人間の頭髪やペットの毛をとかすためのブラシに装着して使用される補助部材に関する。
【０００２】
【従来の技術】
ブラシに絡みついた頭髪やペットの毛を取り除くのは容易ではない。そこで、従来は、例えば、ウレタン系のシートをブラシに取り付け、そのシートと一緒に捕集された毛を取り除いていた。
【０００３】
【発明が解決しようとする課題】
しかしながら、従来のブラシ用シートでは、特に針状部の密度の高いブラシへの装着容易性に問題があった。また、製造コスト及び包装コストの点でも問題があった。
【０００４】
本発明は上記のような状況に鑑みてなされたものであり、密度の高いブラシにも容易に装着できるブラシ用補助部材を低コストで提供することを目的とする。
【０００５】
また、ブラシ用補助部材において、抜け毛の捕集以外の付加的な機能又は用途を付加することを他の目的とする。
【０００６】
【課題を解決するための手段】
上記課題を解決するために、本発明に係るブラシ用補助部材は、連続繊維をシート状に成形したものを使用する。そして、当該連続繊維の部分にブラシの針状部を刺して使用する。
【０００７】
連続繊維としては、例えば、一束の連続したフィラメントのＴＯＷ（トウ）を使用することができる。また、ブラシの針状部が刺さる連続繊維部と、当該連続繊維部の周囲に形成された補強部とから構成することによって、連続繊維のほつれを防止することができる。補強部は、例えば、連続繊維の一部を熱融着することによって形成することができる。
【０００８】
抜け毛の捕集機能以外の機能を付加するために、例えば、連続繊維部に吸水性の材質を使用し、毛や肌に付着した水分を吸収するようにする。或いは、毛染め液、整髪剤等の所定の液体を予め連続繊維に含ませた状態で使用することもできる。
【０００９】
ブラシへの装着容易性及び抜け毛の捕集性を考慮すると、連続繊維の目付は１０ｇ／ｍ２〜１０００ｇ／ｍ２、更に好ましくは、６０ｇ／ｍ２〜２００ｇ／ｍ２とする。また、連続繊維の太さは、０．５デシテックス〜１００デシテックス、更に好ましくは、１．０デシテックス〜５．０デシテックスとする。
【００１０】
本発明に係るブラシセットにおいては、ブラシ用補助部材の一部に第１の固定部を形成するとともに；ブラシの一部に、第１の固定部と接着する第２の固定部を設けることができる。この時、好ましくは、第１の固定部は、ブラシ用補助部材の一部を毛羽立たせてループ状にすることによって成形する。そして、第２の固定部は、第１の固定部のループに絡み合うフック状の接着面を有するようにする。
【００１１】
【発明の実施の形態】
以下本発明の実施の形態について実施例を用いて説明する。図１は、本発明の第１の実施例に係るブラシ用シート１０を示す。図２は、はブラシ用シート１０のブラシ２０への装着方法を示す。また、図３は、ブラシ用シート１０の使用状態（装着状態）を示す。
【００１２】
ブラシ用シート１０は、連続繊維を広げてシート状にした連続繊維部１２と、連続繊維部１２の周辺に形成された補強部１４とから構成されている。連続繊維部１２及び補強部１４は、何れも一束の連続したフィラメント（ＴＯＷ）によって形成される。すなわち、補強部１４はＴＯＷを熱融着（接着）した状態、連続繊維部１２は熱融着（接着）していない状態である。連続繊維としては、太さ３．３デシテックスの熱融着性の繊維（ポリエチレン／ポリエステルの芯鞘構造繊維）を束ねた、トータルデシテックスが１０００００であるＴＯＷを使用する。シート１０のサイズは、例えば、短手方向の幅１００ｍｍ、長手方向長さ２００ｍｍとする。連続繊維部１２のサイズは、例えば、幅７０ｍｍ、長さ１５０ｍｍとする。
【００１３】
ＴＯＷの目付は、ブラシ２０への装着し易さや抜け毛の捕集性等を考慮して決めることが重要である。目付を低く設定した場合には、ブラシ２０に刺し易くなると同時にコストを低く抑えられるというメリットがある。反面、抜け毛が絡み難くなり、抜け毛をきれいに取り除けないというデメリットがある。更に、ブラシ用シート１０に薬液などの液体を含ませた場合の保持性が低下するという不都合もある。ＴＯＷ目付を高く設定した場合には、低く設定した場合の逆のメリット、デメリットが発生する。上記のような状況（メリット、デメリット）を考慮し、本実施例においては、ＴＯＷの目付は、１０ｇ／ｍ２〜１０００ｇ／ｍ２とする。好ましくは、４０ｇ／ｍ２〜３００ｇ／ｍ２とする。更に好ましくは、６０ｇ／ｍ２〜２００ｇ／ｍ２、例えば、８０ｇ／ｍ２とする。
【００１４】
ＴＯＷの繊維太さに関しては、細い場合には繊維が切れやすくなり、太すぎると硬くてブラシ２０に刺さり難くなる。そこで、本実施例においては、０．５デシテックス〜１００デシテックスの太さのＴＯＷを使用する。好ましくは、１．０デシテックス〜１０デシテックスとする。更に好ましくは、１．０〜５デシテックス、例えば、３．３デシテックスとする。
【００１５】
連続繊維（ＴＯＷ）としては、熱接着性繊維（ポリエチレンやポリプロピレン、ＰＥＴの単繊維やこれらの複合繊維）の他にも、レーヨン、アセテート繊維などを使用することが出来る。また、連続繊維部１２において連続であれば、カットファイバーを使用することも可能である。繊維は、単一繊維でも、数種類の繊維を混合したものでもよい。例えば、ＰＥＴ繊維とレーヨン繊維を混合することで、ＰＥＴ繊維の持つ剛性と、レーヨン繊維の保水性の両方の性質を得ることができる。
【００１６】
本実施例に係るブラシ用シート１０の製造に際しては、ＴＯＷを幅１００ｍｍまで開繊、拡幅し、目付が約８０ｇ／ｍ２の状態にする。次に、熱シール板を用いて、開繊したＴＯＷの補強部１４に相当する箇所を熱シールする。なお、補強部１４の形成方法としては、熱接着の他にもホットメルトや糊等のバインダーを用いた接着や、化学的に繊維を溶解、接着させることもできる。例えば、アセテート繊維は、トリアセチン溶液に溶解、乾燥させることで接着することができる。
【００１７】
本実施例に係るブラシ用シート１０を使用する際には、図２に示すように、ブラシ２０の針状部２２がシート１０の連続繊維部１２に刺さるように、シート１０を装着する。ここで、ブラシ２０の針状部２２に刺さるのが連続繊維部１２であるため、シート１０を容易に装着することができる。ブラシ１０は、人間の頭髪に使用するもの、犬などのペットの毛をとかすものなど、色々な用途に使用可能である。図３に、シート１０の装着状態を示す。シート１０を装着した状態で、ブラシ２０を使用すると、抜け毛が連続繊維部１２に絡みつく。使用後にブラシ用シート１０をブラシ２０から取り外すと、シート１０と一緒に抜け毛やほこりが取り除かれる。
【００１８】
本発明のブラシ用シートは、連続繊維を使用しているため、上記のように抜け毛やホコリの捕集のみならず、所定の液体を含ませて使用させることも可能である。すなわち、保水性のあるレーヨンなどのＴＯＷを一部又は全体に使用した場合には、当該繊維に薬液、整髪剤、毛染め剤などの液状物を含ませた状態で使用することができる。薬液としては、ブラッシングを滑らかにするシリコンオイル、育毛剤、洗浄剤、栄養剤などを使用することができる。本実施例によれば、薬液などの液体がしたたり落ちることなく良好な使用が実現できる。また、乾燥したシートをブラシに装着し、水や薬液のついた毛をとかした場合には、水分をふき取る効果が得られる。以上のような用途の場合には、使用状況、用途に応じてＴＯＷの目付を増やすことが望ましい。
【００１９】
図４は、本発明の第２の実施例に係るブラシ用シート３０の構成を示す。この実施例のブラシ用シート３０は、上述した第１実施例のブラシ用シート１０と同様の連続繊維部３２と補強部３４の他に、基材３６を設けている。連続繊維部３２と補強部３４の構成、製造方法については上記第１実施例と同様であるため、ここでは説明を省略する。基材３６としては、不織布やフィルムを用いることができる。基材３６の存在により、シート自体の強度をアップできる他、連続繊維の毛羽立ちを抑える効果もある。また、基材３６を保水性の不織布で構成することにより、シート全体としての保水力を向上させることも可能である。なお、基材３６は、シート３０の外周全体に渡って設ける場合の他に、縦や横の側面のみに設けることも可能である。
【００２０】
図５は、本発明の第３の実施例に係るブラシ用シート４０の構成を示す。この実施例のブラシ用シート４０は、上述した第１実施例のブラシ用シート１０と同様の連続繊維部４２と補強部４４とを備えている。そして、連続繊維部４２を図示のように格子状の部分接着部４６を付加することにより、複数のブロックに分割（区画）している。なお、連続繊維部４２と補強部４４の構成、製造方法については上記第１実施例と同様であるため、ここでは説明を省略する。
【００２１】
部分接着部４６のパターンは格子状に限らず、断続的な点であってもよい。すなわち、本実施例のポイントは、使用するブラシの大きさ、形状などの諸条件に応じ、連続繊維部４２の中に部分的に接着部分を設け、連続繊維の自由度を適度に規制することにある。ここで、区画される連続繊維部４２の各面積は、ブラシ２０の針状部２２の進入を極端に妨げない、すなわち、ブラシ用シート４０のブラシへの装着性を損なわない程度の大きさとする。例えば、各区画の面積を１ｃｍ２以上とする。本実施例によれば、連続繊維のブラシへの必要以上の絡みつきを防止し、当該シートの着脱の容易性を確保すると同時に、連続繊維の繊維切れを抑制することができる。
【００２２】
図６は、本発明の第４の実施例に係るブラシ用シート５０の構成を示す。また、図７は図６に示すシート５０と一緒に使用されるブラシ２０の構成を示す。この実施例のブラシ用シート５０は、上述した第１実施例のブラシ用シート１０と同様の連続繊維部５２と補強部５４とを備えている。そして、補強部５４の両端部には、ブラシ２０のテープファスナー６２ａ、６２ｂに対応する位置にループ状部５６ａ、５６ｂが形成されている。なお、連続繊維部５２と補強部５４の構成、製造方法については上記第１実施例と同様であるため、ここでは説明を省略する。
【００２３】
ループ状部５６ａ、５６ｂは、テープファスナー６２ａ、６２ｂのフック部との係合が容易になるように、連続繊維に対して捲縮を施し、ループ状に成形されている。本実施例においては、補強部５４上のループ状部５６ａ、５６ｂとブラシ２０上に設けられたテープファスナー６２ａ、６２ｂとによって、所謂マジックテープ機能を発揮する。このような構造により、簡素で低コストの接着機構を提供することができる。
【００２４】
なお、ループ状部と接着テープの位置及び個数は、図６及び図７に示す例には限定されない。例えば、ブラシ２０の裏側に接着テープを配置し、ブラシ用シート５０を回り込む（巻き込む）ようにして固定することもできる。また、ループ状部に代えて、周知のマジックテープ用ターゲットテープ（ループ面を有するもの）を使用することも可能である。
【００２５】
以上、本発明の実施例について説明したが、本発明はこれらの実施例に何ら限定されるものではなく、特許請求の範囲に示された技術的思想の範疇において変更可能なものである。例えば、補強部を設けることなく連続繊維を束ねた構成でも、抜け毛やホコリの捕集性等、本発明による効果をある程度得ることが可能である。
【００２６】
【発明の効果】
以上説明したように、本発明によれば、連続繊維をシート状に成形したものを使用しているため、密度の高いブラシにも容易に装着できるブラシ用補助部材を低コストで提供することができる。
【図面の簡単な説明】
【図１】図１は、本発明の第１の実施例に係るブラシ用シートの構成を示す斜視図（平面図）である。
【図２】図２は、図１に示すブラシ用シートの使用状態を示す斜視図である。
【図３】図３は、図１に示すブラシ用シートの使用状態を示す側面図である。
【図４】図４は、本発明の第２の実施例に係るブラシ用シートの構成を示す平面図である。
【図５】図５は、本発明の第３の実施例に係るブラシ用シートの構成を示す平面図である。
【図６】図６は、本発明の第４の実施例に係るブラシ用シートの構成を示す平面図である。
【図７】図７は、図６に示すブラシ用シートと組み合わせて使用されるブラシの構成を示す斜視図である。
【符号の説明】
１０，３０，４０，５０    ブラシ用シート
１２，３２，４２，５２    連続繊維部（非接着部）
１４，３４，４４，５４    補強部（接着部）
２０    ブラシ
２２    針状部
５６ａ，５６ｂ    ループ状部（ターゲットテープ）
６２ａ，６２ｂ    テープファスナー（フック部材）
【図１】
0004652550.tif 000002
【図２】
0004652550.tif 000003
【図３】
0004652550.tif 000004
【図４】
0004652550.tif 000005
【図５】
0004652550.tif 000006
【図６】
0004652550.tif 000007
【図７】
0004652550.tif 000008